【事件の表示】
　特許第３１３１３７１号「換気扇用フィルタの製造装置」の請求項１に係る特許に対する特許異議の申立てについて、次のとおり決定する。
【結　論】
　訂正を認める。
　本件特許異議の申立てを却下する。
【理　由】
１．本件の経緯
　本件特許第３１３１３７１号は、平成７年１２月２５日の出願であって、平成１２年１１月１７日（公報発行平成１３年１月３１日）に設定登録され、平成１３年７月３１日に枝木幸二から特許異議の申立を受けたものであって、その後平成１３年１２月１３日（発送日平成１４年１月８日）付で取消理由通知がなされ、その指定期間内である平成１４年３月６日に訂正請求がなされたものである。
　
２．訂正の適否についての判断
２−１．訂正の要旨
（１）訂正事項ａ：本件明細書中特許請求の範囲の【請求項１】を削除する。
（２）訂正事項ｂ：訂正前の請求項２の項数を「１」に繰り上げるとともに、「請求項１記載の換気扇用フィルタ」を訂正前の請求項１に記載される「合成樹脂を素材とした不織布を生地とし、正面形状がほぼ四角形のハウジングを持つ換気扇にその正面から着脱自在としたフィルタであって、前記生地を前記ハウジングの正面形状よりも大きなほぼ相似形とすると共に４ヵ所の角部を面取り状に切欠し、前記生地の外周縁に沿って全周を巡る環状の弾性変形可能な帯を前記面取り状に切欠した部分を通る位置に配置し、前記帯の外側の生地を内側に折り曲げ且つ前記帯を内包して生地どうしの重合部を熱溶着によって接合してなる換気扇用フィルタ」に置き替える。
（３）訂正事項ｃ：本件明細書中【発明の名称】の「換気扇用フィルタ及びその製造方法」を、「換気扇用フィルタの製造方法」と訂正する。
（４）訂正事項ｄ：本件明細書中段落【0001】の「使い捨て用のフィルタ及びその製造装置に関する。」を、「使い捨て用のフィルタの製造装置に関する。」と訂正する。
（５）訂正事項ｅ：本件明細書中段落【0008】の「接合してなることを特徴とする。」を「接合してなる換気扇用フィルタを製造するための装置であって、前記生地によって全体または一部が被せられる形状の基板と、前記基板にセットした生地の面取り状に切欠された領域内に位置して前記基板から上方または外側に向けて突き出したガイドポストと、前記ガイドポストどうしを結ぶ線分よりも内部側に加熱面を持ち前記基板の表面に向けて進退動作可能なヒータと、該ヒータの進退動作に連動し前記ガイドポストよりも外に突き出ている生地の外周縁を内周側に折り曲げるベンダーとを備え、前記ベンダーによる前記生地の折り曲げを前記ヒータの前記基板の表面までの移動に先行させて駆動する系としてなることを特徴とする。」と訂正する。
（６）訂正事項ｆ：本件明細書中段落【0009】、【0010】、【0043】を削除するとともに、それ以降の段落番号を順次繰り上げる。
（７）訂正事項ｇ：本件明細書中段落【0012】の段落番号を【0010】に繰り上げるとともに、「図１は本発明のフィルタ」を、「図１は本発明の製造装置で製造するフィルタ」と訂正する。
（８）訂正事項ｈ：本件明細書中段落【0044】の段落番号を【0041】に切り上げるとともに、「また、本発明の」を、「【発明の効果】本発明の」と訂正する。
（９）訂正事項ｉ：本件明細書中【図面の簡単な説明】の「【図１】本発明の換気扇用フィルタ」を、「【図１】本発明の製造装置で製造する換気扇用フィルタ」と訂正する。
　
２−２．訂正の適否についての検討
（１）上記訂正事項ａは、請求項の削除であるから、特許請求の範囲の減縮を目的とした訂正に該当し、新規事項の追加に該当せず、実質上特許請求の範囲を拡張し、又は変更するものではない。
（２）上記訂正事項ｂは、訂正事項ａ、すなわち請求項１の削除により引用形式の表現をとることができなくなったため、独立形式の表現に変更する訂正であり、明瞭でない記載の釈明を目的とする訂正に該当し、新規事項の追加に該当せず、実質上特許請求の範囲を拡張し、又は変更するものではない。
（３）上記訂正事項ｃ〜ｉは、訂正事項ａ、すなわち請求項１の削除により生じた、発明の内容と発明の名称、発明の詳細な説明及び図面の簡単な説明との不整合を正す訂正であり、明瞭でない記載の釈明を目的とする訂正に該当し、新規事項の追加に該当せず、実質上特許請求の範囲を拡張し、又は変更するものではない。
　
２−３．まとめ
　したがって、上記訂正は、特許法第１２０条の４第２項及び第３項において準用する特許法第１２６条第２項から第４項までの規定に適合するものであるから、当該訂正は認める。
　
３．特許異議の申立についての判断
　本件の請求項１に係る発明は、訂正の結果削除され、特許異議申立の対象が存在しないので、この特許異議申立は、不適法な申立であって、その補正をすることができないものである。
　したがって、本件特許異議の申立ては、特許法第１２０条の６第１項で準用する同法第１３５条の規定により却下すべきものである。
　よって、結論のとおり決定する
【異議決定日】
平成１４年１２月２５日（２００２．１２．２５）
【訂正の要旨】
訂正事項
　ａ　発明の名称を以下の通り訂正する。
「【発明の名称】　　換気扇用フィルタ
の製
　ｂ　特許請求の範囲を以下の通り訂正する。
「【特許請求の範囲】
　【請求項１】　合成樹脂を素材とした不織布を生地とし、正面形状がほぼ四角形のハウジングを持つ換気扇にその正面から着脱自在としたフィルタであって、前記生地を前記ハウジングの正面形状よりも大きなほぼ相似形とすると共に４ヵ所の角部を面取り状に切欠し、前記生地の外周縁に沿って全周を巡る環状の弾性変形可能な帯を前記面取り状に切欠した部分を通る位置に配置し、前記帯の外側の生地を内側に折り曲げ且つ前記帯を内包して生地どうしの重合部を熱溶着によって接合してなる換気扇用フィルタ
を製造するための装置であって、前記生地によって全体または一部が被せられる形状の基板と、前記基板にセットした生地の面取り状に切欠された領域内に位置して前記基板から上方または外側に向けて突き出したガイドポストと、前記ガイドポストどうしを結ぶ線分よりも内部側に加熱面を持ち前記基板の表面に向けて進退動作可能なヒータと、該ヒータの進退動作に連動し前記ガイドポストよりも外に突き出ている生地の外周縁を内周側に折り曲げるベンダーとを備え、前記ベンダーによる前記生地の折り曲げを前記ヒータの前記基板の表面までの移動に先行させて駆動する系としてなる換気扇用フィルタの製造装置。
　ｃ　明細書の【０００１】を以下の通り訂正する。
「　　【０００１】
　【発明の属する技術分野】
　本発明は、たとえば厨房用の換気扇に取り付ける不織布を素材とした使い捨て用のフィル
タの
　ｄ　明細書の【０００８】を以下の通り訂正する。
「　　【０００８】
　【課題を解決するための手段】
　本発明は、合成樹脂を素材とした不織布を生地とし、正面形状がほぼ四角形のハウジングを持つ換気扇にその正面から着脱自在としたフィルタであって、前記生地を前記ハウジングの正面形状よりも大きなほぼ相似形とすると共に４ヵ所の角部を面取り状に切欠し、前記生地の外周縁に沿って全周を巡る環状の弾性変形可能な帯を前記面取り状に切欠した部分を通る位置に配置し、前記帯の外側の生地を内側に折り曲げて且つ前記帯を内包して生地どうしの重合部を熱溶着によって接合してなる
換気扇用フィルタを製造するための装置であって、前記生地によって全体または一部が被せられる形状の基板と、前記基板にセットした生地の面取り状に切欠された領域内に位置して前記基板から上方または外側に向けて突き出したガイドポストと、前記ガイドポストどうしを結ぶ線分よりも内部側に加熱面を持ち前記基板の表面に向けて進退動作可能なヒータと、該ヒータの進退動作に連動し前記ガイドポストよりも外に突き出ている生地の外周縁を内周側に折り曲げるベンダーとを備え、前記ベンダーによる前記生地の折り曲げを前記ヒータの前記基板の表面までの移動に先行させて駆動する系としてなる
　ｅ　明細書の【０００９】及び【００１０】を削除する。
　ｆ　明細書の【００１１】を以下の通り訂正する。
「　　
【０００９】
　
【発明の実施の形態】
　
本発明の製造
　ｇ　明細書の【００１２】を以下の通り訂正する。
「　　
【００１０】
　【実施例】
　図１は本発明の
製造装置で製造する
　ｈ　明細書の【００４３】を削除する。
　ｉ　明細書の【００４４】を以下の通り訂正する。
「　　
【００４１】
　
【発明の効果】
　本
　ｊ　明細書の【図面の簡単な説明】の【図１】を以下の通り訂正する。
「　【図１】　本発明の
製造装置で製造する
　ｋ　明細書の【０００９】、【００１０】及び【００４３】の削除に伴って、それ以降の段落番号を順次繰り上げる。
（５４）【発明の名称】
換気扇用フィルタ
の製
（５７）【特許請求の範囲】
　【請求項１】　合成樹脂を素材とした不織布を生地とし、正面形状がほぼ四角形のハウジングを持つ換気扇にその正面から着脱自在としたフィルタであって、前記生地を前記ハウジングの正面形状よりも大きなほぼ相似形とすると共に４ヵ所の角部を面取り状に切欠し、前記生地の外周縁に沿って全周を巡る環状の弾性変形可能な帯を前記面取り状に切欠した部分を通る位置に配置し、前記帯の外側の生地を内側に折り曲げ且つ前記帯を内包して生地どうしの重合部を熱溶着によって接合してなる換気扇用フィルタ
を製造するための装置であって、前記生地によって全体または一部が被せられる形状の基板と、前記基板にセットした生地の面取り状に切欠された領域内に位置して前記基板から上方または外側に向けて突き出したガイドポストと、前記ガイドポストどうしを結ぶ線分よりも内部側に加熱面を持ち前記基板の表面に向けて進退動作可能なヒータと、該ヒータの進退動作に連動し前記ガイドポストよりも外に突き出ている生地の外周縁を内周側に折り曲げるベンダーとを備え、前記ベンダーによる前記生地の折り曲げを前記ヒータの前記基板の表面までの移動に先行させて駆動する系としてなる換気扇用フィルタの製造装置。
【発明の詳細な説明】
　【０００１】
　【発明の属する技術分野】
　本発明は、たとえば厨房用の換気扇に取り付ける不織布を素材とした使い捨て用のフィル
タの
　【０００２】
　【従来の技術】
　厨房用の換気扇は、調理の際に発生する油煙を被ってこれらがハウジングやファンの表面に付着しやすく、専用の洗剤等を使って頻繁にクリーニングして清潔に保つことが必要である。
　【０００３】
　このような煩雑なクリーニングを解消するものとして、たとえば耐熱性を改善した特殊な紙や布等を利用したフィルタを換気扇のハウジングに取り外しできるようにしたものも既に利用されている。このフィルタは、使い捨て用とした簡易なものであり、たとえば換気扇のハウジングに形状を合わせたものとしておき、その外周縁にゴムバンドを巡らしてその弾性反力を利用してハウジングに簡単に着脱できるようにした構成が最も一般的である。
　【０００４】
　【発明が解決しようとする課題】
　フィルタとして好適な素材として、たとえばポリエステルを生地としてその表面に塩化ビニルをコーティングした不織布が挙げられる。この不織布は難燃性を持つことから、厨房用として使用するのに最適であり、ゴムバンドをその外周縁に巡らす場合には溶着法によって簡単に一体化できるので、製造もしやすくなるという利点がある。
　【０００５】
　ところが、換気扇のハウジングの殆どが四角形であることから不織布もこの形状に合わせた四角形状のものを素材とする一方、ゴムバンドは環状であってハウジングに取り付けるため不織布の外周縁を絞り上げるように変形させる。このため、ゴムバンドを一体化したときには不織布に無用なしわができやすくなり、ハウジングに取り付けたときの外観を損ねることが多い。
　【０００６】
　また、ゴムバンドの不織布への一体化は先に述べたように溶着法が利用できるが、ゴムバンドを不織布の外周縁に沿うように位置させて溶着するには、ゴムバンドを適正な形状に変形させた上で溶着する工程が必要となる。このため、従来の汎用の溶着装置をそのまま適用しても、フィルタの製造には対応できず、特殊な治具を必要とするほか生産性の向上にも限界がある。
　【０００７】
　本発明において解決すべき課題は、換気扇用として最適に利用でき
るフ
　【０００８】
　【課題を解決するための手段】
　本発明は、合成樹脂を素材とした不織布を生地とし、正面形状がほぼ四角形のハウジングを持つ換気扇にその正面から着脱自在としたフィルタであって、前記生地を前記ハウジングの正面形状よりも大きなほぼ相似形とすると共に４ヵ所の角部を面取り状に切欠し、前記生地の外周縁に沿って全周を巡る環状の弾性変形可能な帯を前記面取り状に切欠した部分を通る位置に配置し、前記帯の外側の生地を内側に折り曲げて且つ前記帯を内包して生地どうしの重合部を熱溶着によって接合してなる
換気扇用フィルタを製造するための装置であって、前記生地によって全体または一部が被せられる形状の基板と、前記基板にセットした生地の面取り状に切欠された領域内に位置して前記基板から上方または外側に向けて突き出したガイドポストと、前記ガイドポストどうしを結ぶ線分よりも内部側に加熱面を持ち前記基板の表面に向けて進退動作可能なヒータと、該ヒータの進退動作に連動し前記ガイドポストよりも外に突き出ている生地の外周縁を内周側に折り曲げるベンダーとを備え、前記ベンダーによる前記生地の折り曲げを前記ヒータの前記基板の表面までの移動に先行させて駆動する系としてなる
　
【０００９】
　
【発明の実施の形態】
　
本発明の製造
　
【００１０】
　【実施例】
　図１は本発明の
製造装置で製造する
　
【００１１】
　図において、換気扇５０は従来から一般的に利用されているようにその正面形状がほぼ正方形のハウジング５１とこれに取り付けたファン５２とを備え、このファン５２をモータ（図示せず）によって回転駆動させるものである。そして、フィルタ１はハウジング５１の正面全体を覆う大きさの形状であって、不織布を素材とした生地２とその外周縁を巡って一体に溶着されたゴムバンド３とから構成されたものである。
　
【００１２】
　生地２は、図２に示すようにほぼ正方形状であって、その４角部分を三角形状に切り取って切欠２ａとしたものである。そして、これらの切欠２ａ部分を通るようにゴムバンド３を巡らせ、このゴムバンド３よりも外側の生地２をゴムバンド３周りを包み込むように内側に折り曲げ、図３の（ｂ）に示すように折り曲げた部分を溶着部２ｂとして接合することによってゴムバンド３を一体化する。
　
【００１３】
　ゴムバンド３の一体化によって、フィルタ１は図３の（ａ）に示すように、恰もシャワーキャップのようにゴムバンド３によってほぼ円形に絞り上げられた形状となる。そして、原形が正方形状の生地２はその角部に最もしわが発生しやすいが、予めこの部分を切欠２ａによって盗んでいるので、しわを極力抑えた形状に保持できる。したがって、換気扇５０のハウジング５１に取り付けたときも、全体の外観を良好に保つことができ、厨房の雰囲気を損ねることもない。
　
【００１４】
　図４はフィルタ１の製造装置の要部を示す正面図、図５は図４のＡ−Ａ線矢視による概略平面図である。
　
【００１５】
　図において、フレーム４に固定したベース５の上にベークライトを素材とした基板６を備えると共にベース５の上方には一対の空気圧利用のシリンダ７を配置している。そして、シリンダ７のロッド７ａの先端にはマウントプレート７ｂを連結し、このマウントプレート７ｂの下面にはスプリング７ｃを介してヒータ８を連接している。
　
【００１６】
　ヒータ８は、図６の底面図に示すように四角形の枠状であり、フィルタ１の生地２に対してその切欠２ａ部分に被さらない程度の大きさの加熱面８ａを持つものである。このヒータ８は電源に接続され、その加熱面８ａからの発熱によってポリエステル及び塩化ビニルを素材とする不織布を加熱溶融して溶着する。
　
【００１７】
　ベース５の上面には、図５に示すように４つの角部のそれぞれの近傍にガイドポスト５ａを設ける。これらのガイドポスト５ａは同図おいて一点鎖線で示す範囲にセットされる生地２に対して、切欠２ａよりも外側に位置するように設定されたものである。そして、これらのガイドポスト５ａの周りにゴムバンド３を巡らせて伸びた状態とし、基板６の上にセットした生地２の外周縁よりも内部側をこゴムバンド３が走るような位置関係となるように各ガイドポスト５ａの位置を設定する。
　
【００１８】
　ベース５の周囲の各辺には、基板６の上にセットした生地２の外周縁を内側に折り曲げるためのベンダー９を設ける。これらのベンダー９は図４に示すようにピン９ａによってベース５に連接され図中の矢印方向に回動自在としたものであり、シリンダ７の作動と連動させるためにワイヤロープ１０によってマウントプレート７ｂに連結されている。
　
【００１９】
　ベンダー９はピン９ａを境としてほぼＬ字状に曲げた形状を持ち、その一端側を生地２の外周縁部分に突き当てためのプッシャ９ｂとしている。また、ワイヤロープ１０はベンダー９との連結部分に引っ張りのコイルスプリング１０ａをを介してこのベンダー９に連接され、フレーム４に回転自在に設けたプーリ４ａ周りに巻回したものである。
　
【００２０】
　更に、シリンダ７の作動やヒータ８への通電及びその発熱量等の設定はフレーム４の適切な位置に設けた操作盤４ｂによって行うものとし、この操作盤４ｂには全ての機能部を制御するためのコントローラを備える。
　
【００２１】
　以上の構成の装置において、図３に示したフィルタ３を製作するには、シリンダ７を図４の位置から上昇させて基板６から離すと共にベンダー９を外側に待避した姿勢に設定しておき、基板６の上に生地２をセットする。
　
【００２２】
　このセットに際しては、図７の概略図に示すように、生地２の角部の切欠２ａのそれぞれがガイドポスト５ａの内側に位置させる。これにより、基板６を生地２よりも小さくしておくことで、この生地２の外周縁が基板６よりも外にまはみ出すようにセットすることができ、このはみ出た部分の生地２は、図８の（ａ）に示すように、ベンダー９のプッシャ９ｂに被さった状態で保持される。
　
【００２３】
　次いで、ゴムバンド３を広げながら図７に示すようにガイドポスト５ａの外側を巡るようにしてこれらのガイドポスト５ａに掛け回し、更にゴムバンド３を生地２の表面に当たるまで下げていく。
　
【００２４】
　以上により、基板６上への生地２のセット及びこの生地２に対するゴムバンド３の位置決めが完了する。このとき、ゴムバンド３は図５中の一点鎖線で示すように、各切欠２ａを横切る位置で生地２の外周縁に沿って全周を巡るように位置するものとなる。
　
【００２５】
　ここで、シリンダ７を作動させてそのロッド７ａを下降させていくと、これに伴ってマウントプレート７ｂも下に移動する。したがって、このマウントプレート７ｂよりも上側に配置されているプーリ４ａを巡って巻回されているワイヤロープ１０は、図４において矢印方向に動く。
　
【００２６】
　図８はワイヤロープ１０の動きによるベンダー９の作動を示す概略図であり、先に述べたように、生地２及びゴムバンド３をセットする過程では同図の（ａ）に示すようにプッシャ９ｂが生地２の外周縁部分の下面に位置してこれを受けている。ワイヤロープ１０が引き上げられていくと、同図の（ｂ）に示すように、ベンダー９はピン９ａ周りに回動してプッシャ９ｂが生地２の外周縁を立ち上げていき、最終的に同図（ｃ）に示すようにプッシャ９ｂが初期の状態のときと上下反転する姿勢となって生地２を内側に折り曲げる。
　
【００２７】
　この生地２の折り曲げに際して、図３の（ｂ）に示したようにゴムバンド３が折り曲げた生地２の外周縁に沿わせるため、ガイドポスト５ａのゴムバンド３の接触位置どうしを結ぶ線分がベンダー９のピン９ａの位置にほぼ一致するような配置としておく。これにより、図８に示すように、生地２の外周縁部分はゴムバンド３を包み込んだ状態で上下に重合される。
　
【００２８】
　プッシャ９ｂが図８の（ｃ）の姿勢まで回動した後には、ヒータ８の加熱面８ａが同図（ｄ）に示すように生地２の重合部分まで下降する。このようなヒータ８の動作は、ベンダー９の回動動作との連動を図ることによって可能であり、たとえばピン９ａ周りであってコイルスプリング１０ａに連接されている部分の長さや形状を適切に設定することで対応できる。
　
【００２９】
　ヒータ８の加熱面８ａの生地２への接触及び押圧によって、生地２の合成樹脂成分が溶融して重合されたものどうしが互いに溶着され、切欠２ａを除く部分の全ての外周縁にゴムバンド３が内包され、これによってフィルタ１の製造が完了する。そして、シリンダ７のロッド７ａを上昇させてヒータ８及びベンダー９をそれぞれの待避位置に戻し、ゴムバンド３をガイドポスト５ａ周りから引き上げることで製品として回収される。
　
【００３０】
　このように、生地２の４角部に切欠２ａを設けてこれに対応する部分にガイドポスト５ａを配置したことによって、生地２及びゴムバンド３をこの順に基板６の上にセットするだけの段取りだけで生地２の外周縁にゴムバンド３を縫い込んだようにしてフィルタ１を簡単に製作することができる。
　
【００３１】
　図９はフィルタ１の別の製造装置を示す要部の側面図、図１０は基板を斜め上方から見た斜視図である。
　
【００３２】
　図において、フレーム１１の上端にベークライト製の基板１２を傾斜させた姿勢で固定し、この基板１２の下方にはそのロッド１３ａを上に向けた姿勢のシリンダ１３を備えている。そして、基板１１の周りには４個のベンダー１４及びヒータ１５をそれぞれ配置している。
　
【００３３】
　これらのベンダー１４及びヒータ１５をシリンダ１３のロッド１３ａに連接するため、ロッド１３ａの先端側にはコネクタプレート１３ｂを取り付けると共に、フレーム１１にはそれぞれ必要な位置にプーリ１１ａを回転自在に配置する。
　
【００３４】
　ベンダー１４は先の例とＬ字状の断面形状を持ってその角部をピン１４ａによって基板１２の外周面に回転可能に取り付けられ、硬質のゴム等を素材としたコネクタ１４ｂをそれぞれに一体に設けている。そして、これらのコネクタ１４ｂは、コネクタプレート１３ｂに一端を連結してプーリ１１ａに巻回されたワイヤロープ１６に接続され、ロッド１３ａが後退する動作のときには、ベンダー１４は図１１中の矢印で示すように基板１２の周面側に向けて回動していく。
　
【００３５】
　また、ヒータ１５はフレーム１１に中途を支持された保持アーム１５ａにスプリング１５ｂを介して連結されたものであり、図９に示すようにアーム１５ａの基端はコネクタプレート１３ｂに連接されている。
　
【００３６】
　このように、ベンダー１４及びヒータ１５をそれぞれワイヤロープ１６及びアーム１５ａによってコネクタプレート１３ｂに連接することによって、シリンダ１３を作動させることでこれらのベンダー１４とヒータ１５とを連動させることができる。この場合、ベンダー１４のほうが先に基板１２の外周面に突き当たり、この後にヒータ１５の先端が基板１２に当たるような構成とする。
　
【００３７】
　基板１２の外周面であって角部の近傍にはそれぞれガイドポスト１７を設ける。これらのガイドポスト１７は、図１１に示すように、基板１２の周面から斜め下方に突き出るように配置したもので、図中の一点鎖線で示すようにゴムバンド３を上側から被せたときに下に落ちるのを防止し、このゴムバンド３を基板１２の外周面に沿うようにセットすることができる。
　
【００３８】
　先の例では、生地２は基板６よりも小さい形状のものであったが、図１０に示すように、基板１２より生地２は大きいものとしその角部を三角形状に切り取った切欠２ａとしている。そして、この切欠２ａの外郭部分も基板１２の角部よりも外側であってガイドポスト１７の突き出し端よりも内側に位置するような形状とする。
　
【００３９】
　以上の構成において、フィルタ１を製造するには、先ず図１０に示すように、切欠２ａの位置を基板１２の角部に合わせた状態で生地２を基板１２の上に被せる。次いで、ゴムバンド３を広げた状態にして基板１２の周りにセットし、ガイドポスト１７の上に掛かるようにする。これにより、図９に示すように、生地２は基板１２の外周面に当たるように折り曲げられ、ゴムバンド３よりも外側に位置している生地２の縁部は自由端となる。
　
【００４０】
　このような生地２及びゴムバンド３のセットの後、シリンダ１３を作動させると、先の例と同様に、ベンダー１４が切欠２ａを除く生地２の縁部を基板１２の外周面側に折り曲げていき、この折り曲げによって生地２がゴムバンド３を包み込む。そして、この後にヒータ１５が基板１２の外周面側に当たる位置まで回動していき、これによって２層の生地２が互いに溶着され、ゴムバンド３を一体にしたフィルタ１を得ることができる。
　
【００４１】
　
【発明の効果】
　本
【図面の簡単な説明】
　【図１】　本発明の
製造装置で製造する
　【図２】　フィルタの生地の概略斜視図である。
　【図３】　ゴムバンドを内包したフィルタの最終製品であって、同図の（ａ）はその斜視図、同図の（ｂ）はゴムバンドの内包及び生地の溶着部分を示す拡大縦断面図である。
　【図４】　フィルタの製造装置の概略正面図である。
　【図５】　製造装置の基板部分を示す要部の平面図である。
　【図６】　ヒータの底面図である。
　【図７】　基板への生地及びゴムバンドへのセットを示す概略斜視図である。
　【図８】　ベンダーによる生地の折り曲げからヒータへの生地の溶着までの工程を示す要部の断面図である。
　【図９】　別の例を示す要部の側面図である。
　【図１０】　基板を斜め上方から見た図であって、ベンダー及びヒータの駆動機構の一部を併せて示す概略図である。
　【図１１】　同図の（ａ）は基板に対するベンダー及びヒータの位置関係を示す概略側面図、同図の（ｂ）はガイドポスト及びこれにセットされるゴムバンドを示す要部の概略図である。
　【符号の説明】
　　１　：フィルタ
　　２　：生地
　　２ａ：切欠
　　３　：ゴムバンド
　　４　：フレーム
　　４ａ：プーリ
　　４ｂ：操作盤
　　５　：ベース
　　５ａ：ガイドポスト
　　６　：基板
　　７　：シリンダ
　　８　：ヒータ
　　８ａ：加熱面
　　９　：ベンダー
　　９ａ：ピン
　　９ｂ：プッシャ
　１０　：ワイヤロープ
　１０ａ：コイルスプリング
　１１　：フレーム
　１１ａ：プーリ
　１２　：基板
　１３　：シリンダ
　１３ａ：ロッド
　１３ｂ：コネクタプレート
　１４　：ベンダー
　１５　：ヒータ
　１６　：ワイヤロープ
　１７　：ガイドポスト